(57)【要約】      （修正有）【課題】ブックケース態様とすることにより、開いた本のページを押さえる機能はもちろん、収納性や、携帯性などで、格段に利便性を向上する本のページ押さえを提供する。【解決手段】平板材の、一方辺の左右両辺に設けた、左右で一対とする凸起部片の平面を、それぞれ、曲げ返し部３で、平板材の平面との間に空間を空けて上下で重なる状態に反転曲げ返した形状として、平板材を下面受け板部４とし、凸起部片を上面ページ押さえ５とした。【選択図】図３
0003219646.tif 000002
【実用新案登録請求の範囲】
【請求項１】
各サイズの本に対応するそれぞれのサイズからなる平板材（１）の一方辺の左右両辺に、平板材（１）の平面と、空間を空けた平行方向で重なる状態に、曲げ返し部（３）で、反転して曲げ返した形状の、左右一対とする、上面ページ押さえ部片（５）を設ける。
そして、その一対とする左右両辺の、上面ページ押さえ部片（５）の先方辺を、それぞれ、曲げ返し部（３）の方向の下方斜角に折り曲げた形状で、ページ押さえ補強弾力部片（６）とする。
さらに、その左右両辺のページ押さえ補強弾力部片（６）の、お互い向かい合った側面の、ある一定範囲を、それぞれ、上方斜角に曲げた形状で、ページ挿入案内ガイド部（７）とする。
以上の構成からなる、本のページ押さえ。
【請求項２】
幅が２ｃｍ〜９ｃｍ前後、長さが１０ｃｍ〜２０ｃｍ前後の、二枚で一対とする、長方な平板材（１）を、それぞれ二枚とも、長手方向の一方辺を、１ｃｍ〜５ｃｍ前後の空間を空けて、上下の平行方向で重なる状態に、曲げ返し部（３）で反転して曲げ返した形状で、上面となった平板部を上面押さえ部片（５）とする。
そして、その二枚のそれぞれの、上面となった上面押さえ部片（５）の先方辺を、曲げ返し部（３）の方向の下方斜角に折り曲げ返した形状で、ページ押さえ補強弾力部片（６）とする。
そして、その一対とする二枚のうちの一枚の、ページ押さえ補強弾力部片（６）の、短手方向の右側辺のある一定範囲を、上方斜角に曲げた形状として、左側面用の本のページ押さえ部材（８）とする。
さらに、残るもう一方の、ページ押さえ補強弾力部片（６）の、短手方向の左側辺のある一定範囲を、上方斜角に反り曲げた形状として、右側面用の本のページ押さえ部材（９）とする。
そして、Ａ６判やＡ５判などの、各サイズの本に対応する、それぞれのサイズ寸法の平板からなる、下面受け板部（４）の一方辺の左側に、左側面用の本のページ押さえ部材（８）を、上面ページ押え部片（５）の先端が、取り付けた一方辺と反対方向に向いた方向で、下面受け板（４）に接合して取り付け固定する。
そして、その対面の、下面受け板（４）の一方辺の右側に、右側面用の本のページ押さえ部材（９）を、上面ページ押え部片（５）の先端が、取り付けた一方辺と反対方向に向いた方向で、下面受け板（４）に接合して取り付け固定する。
以上の構成からなる、本のページ押さえ。
【請求項３】
請求項一からなる、本のページ押さえの、下面受け板（４）の裏面又は表面及び表裏両面に、シート材（１０）を取り付けた、本のページ押さえ。
【請求項４】
請求項一、請求項二、請求項三、からなる、本のページ押さえの、下面受け板部（４）又はシート材（１０）の裏面に、スタンド部（１３）を取り付けた、本のページ押さえ。
【考案の詳細な説明】
【技術分野】
【０００１】本考案は、開いた本のページを、押さえ保持する、本のページ押さえに関するものである。
【背景技術】
【０００２】教科書を初めとする小説などの全ての本は、開いているページを開いたままにしておくことが以外と悩ましく、その悩ましさを解消する為に、バネ押さえアームを設けた書見台タイプや、重しタイプ、挟みクリップタイプなど、色々なページ押さえグッズが提供されている。
【考案の概要】
【考案が解決しようとする課題】
【０００３】書見台タイプを初め、重しタイプ、挟みクリップタイプなどからなる、これまでの色々なページ押さえグッズは、ページを押さえる機能は一応満たしてはいるが、いずれも、一長一短があって、使い勝手の面で、それぞれ、少なからず、満足な使用感が得られていない。
【課題を解決するための手段】
【０００４】  本考案は、弾力性の有る透明な平板状の素材を、一見、ブックケース態様に、曲げ返した形状や、折り曲げた形状等で、立体構造として展開することにより、弾力性素材の曲げ部で発生する弾力を活用したページ押さえとすることにより、既存ページ押さえグッズの、少なからずの使用感の問題点を、大きく解消したものである。
【考案の効果】
【０００５】  本考案からなる本のページ押さえは、図１１で示すように、曲げ返し部（３）で形成された、下面受け板部（４）と、上面ページ押さえ部片（５）との間の収納空間に、読みたい本の背を挿入して、本のページ押さえを、ブックケース状態で本に装着しておけば、図１２で示すように、何時でも何処でも、簡単瞬時に本から取り外し、そのまま開いた状態の本のページを、曲げ返しで得られた収納空間に、簡単瞬時に挿入装着するだけで、上面ページ押さえ部片（５）から得られる弾力と、ページ押さえ補強弾力部片（６）から得られる弾力との、二つの複合した弾力で、開いたままのページを、しっかりと柔軟に押さえてキープする。
尚且つ、ページ押さえをキープした状態のままで、次のページのめくり進めも行えるので、ページめくりの度に、本を、本のページ押さえ、から脱着する手間がかからず簡便である。
さらに、読書が終わったら、再び、ブックケース状態に戻すだけの簡単動作で、保管状態に戻せる。
【図面の簡単な説明】
【０００６】
【図１】一方辺の左右両面に、左右一対とする凸起部片（２）を設けた、平板材（１）を示した平面図
【図２】左右で一対とする凸起部片（２）を、それぞれ、平板材（１）の上面に、１ｃｍ〜５ｃｍ前後の空間を空けた平行方向で重なる状態に、曲げ返し部（３）で反転曲げ返した形状として、平板材（１）を下面受け板部（４）とし、左右一対とする、それぞれの、凸起部片（２）を、上面ページ押さえ部片（５）としたのを示した側面図（左右は対称）
【図３】反転で曲げ返えされた、左右で一対とする、それぞれの、上面ページ押さえ部片（５）を、下方斜角で、曲げ返し部（３）の方向に向かって折り曲げ返した形状の、ページ押さえ補強弾力部片（６）を形成し、尚且つ、そのページ押さえ補強弾力部片（６）の、お互いの向かい合った内側辺のある一定範囲を、それぞれ、上方斜角に折り曲げた形状として、ページ挿入案内ガイド部（７）とした、本考案の請求項一からなる、本のページ押さえを示した側面図、（左右は対称）
【図４】本考案の請求項一からなる、本のページ押さえを示した斜視図、
【図５】本考案の請求項二からなる、本のページ押さえに供される、左右で一対とする、右側用の本のペジ押さえ部材（８）と、左側用の本のページ押さえ部材（９）とを、示した斜視図。（ページ挿入案内ガイド部（７）は、斜線で示してある）
【図６】左右で一対とする、左側用の本のページ押さえ部（８）と、右側用の本のページ押さえ部（９）とを、それぞれ、下面受け板部（４）の一方辺の左右両辺に取り付け固定して、本考案の請求項二からなる、本のページ押さえを示した斜視図。（左側用の本のページ押さえ部（８）と、右側用の本のページ押さえ部（９）とは、それぞれれ、曲げ返し部（３）、上面ページ押さえ部（５）、ページ押さえ補強弾力部（６）、ページ挿入案内ガイド部（７）、が構成された一つの完成品としての総称である。なお、ページ挿入案内ガイド部（７）は、斜線で示してある）
【図７】本考案の、請求項一からなる本のページ押さえの、下面受け板部（４）の裏面に、シート材（１０）を取り付けた、本考案の請求項三からなる本のページ押さえを示した側面図。
【図８】本考案の、請求項四からなる本のページ押さえに供される、フレキシブル素材（１１）に、補強部材（１２）を取り付けた、スタンド部（１３）を示した平面図である。
【図９】本考案の、請求項一、請求項二、請求項三、からなる、本のページ押さえに、スタンド部（１３）を取り付けた、本考案の請求項四からなる、本のページ押さえを示した側面図である。（本考案の請求項三からなる、本のページ押さえをベースとした実施例図である。）
【図１０】本考案の、請求項一、請求項二、請求項三からなる、本のページ押さえに、スタンド部（１３）を取り付けた、請求項四からなる、本のページ押さえを示した斜視図である。（本考案の請求項三からなる、本のページ押さえをベースとした実施例図である。）
【図１１】本考案の、本のページ押さえに、閉じた本（１４）を装着したのを示した斜視図である。（本の半面だけをカバーする、ブックケース状態で装着される）
【図１２】本考案の、本のページ押さえが、開いた本（１４）の、ページを、押さえ保持している状態を示した斜視図である。
【考案を実施するための形態】
【０００７】各サイズの本に対応するそれぞれのサイズの、弾力性の有る素材からなる平板材（１）の、一方辺の左右両辺に、一対とする、凸起部片（２）をそれぞれ設け、その平板材（１）の、左右一対とする凸起部片（２）を、それぞれ、平板材（１）の上面に、空間を空けて平行で重なる状態に、曲げ返し部（３）で、反転曲げ返した形状の、上面ページ押さえ部片（５）を設けて、一次とする主要な、押さえ弾力を発生する機能構造とする。
そして、平板材（１）の上面に、空間を空けて水平方向で重ねた、曲げ返し部（３）から先の、一対とする、それぞれの、上面ページ押さえ部片（５）を、曲げ返し部（３）の方向に向かって、下方斜角に折り曲げ返した形状とする、ページ押さえ補強弾力部片（６）を設けて、二次とする補強の押さえ弾力を発生する機能構造とする。この、一次、二次の、二つの弾力発生機能構造を以て、本のページ押さえとしたものである。
【実施例】
【０００８】本考案による本のページ押さえは、請求項一、請求項二、請求項三、請求項四、からなる。
以下、添付図面に従って、各請求項の実施例を説明する。【０００９】本考案の請求項一からなる、本のページ押さえは、図１で示すように、本の各サイズに対応する、それぞれのサイズからなる平板材（１）の、一方辺の左右両辺に、二つで一対とする、凸起部片（２）を、それぞれ設ける。
そして、図２で示すように、平板材（１）の面と、二つで一対とする、それぞれの凸起部片（２）の面とが、１ｃｍ〜５ｃｍ前後の空間を空けた平行方向の上下で重なる状態に、曲げ返し部（３）で、曲げ返した形状とすることにより、平板材（１）を下面受け板部（４）とし、一方辺の左右両辺に一対として設けた、それぞれの凸起部片（２）を、上面ページ押さえ部片（５）とする。
そしてさらに、図３、図４、で示すように、二つで一対とする、一方辺の左右両辺の上面ページ押さえ部片（５）を、曲げ返し部（３）の方向に向かって、それぞれ、下方斜角に折り曲げ返した形状で、ページ押さえ補強弾力部片（６）とし。尚且つ、そのページ押さえ補強弾力部片（６）の、お互いに向き合う内側のある一定範囲の面を、それぞれ、上方斜角に曲げ返した形状で、ページ挿入案内ガイド部（７）とする。
これをもって、本考案の請求項一からなる、本のページ押さえとしたものである。
請求項一からなる、本のページ押さえは、一枚の平板を、曲げ返したり、折り曲げたりした展開の態様で構成されている。【００１０】  本考案の請求項二からなる、本のページ押さえは、図５で示すように、
幅が２ｃｍ〜９ｃｍ前後、長さが８ｃｍ〜２０ｃｍ前後の、二枚で一対とする、長方な平板材（１）を、それぞれ二枚とも、長手方向の一方辺を、１ｃｍ〜５ｃｍ前後の空間を空けた上下の平行方向で、もう一方辺の上面に重なる状態に、曲げ返し部（３）で、反転して曲げ返した形状で、上面となった平板部を、上面ページ押さえ部片（５）とする。
そして、その一対とする二枚の、それぞれの、上面となった上面ページ押さえ部片（５）の先方辺を、曲げ返し部（３）の方向の、下方斜角に折り曲げ返した形状で、ページ押さえ補強弾力部片（６）とする。
そして、その一対として向き合う、二枚の、ページ押さえ補強弾力部片（６）の、お互いに向き合う側の、ある一定範囲の側面を、左側用は右側面を上方斜角に曲げた形状とし、右側用は左側面を上方斜角に曲げた形状とした、本のページ挿入案内ガイド部（７）を設けて、それぞれ、左側用のページ押さえ部材（８）と、右側用のページ押さえ部材（９）とする。
そして、図６で示すように、Ａ６判やＡ５判などの、各サイズの本に対応する、それぞれのサイズ寸法の、下面受け板（４）の一方辺の左側には、左側用のページ押さえ部材（８）を、その対面の右側には、右側用のページ押さえ部材（９）を、それぞれ、上面ページ押さえ部片（５）の先端が、取り付け固定する一方辺側とは反対の、もう一方辺側に向いた状態で取り付け固定する。
以上の構成からなる、本のページ押さえを、本考案の請求項二からなる、本のページ押さえとしたものである。
本考案の請求項二からなる、本のページ押さえは、本のページを押さえる構成部位を、本を載置する下面受け板部（４）と、分離した構造とすることにより、下面受け板（４）の、構成や素材を、多様に選択して展開できるようにしたものである。【００１１】  本考案の請求項三からなる本のページ押さえは、図７で示すように、本考案の請求項一からなる本のページ押さえに、ビニール系素材、ゴム系素材、皮系素材、布系素材などからなる、シート材（１０）を、下面受け板（４）の、裏面、又は、表面、及び、表裏の両面に、取り付けて、本考案の請求項三からなる本のページ押さえとするものである。
本考案の請求項三からなる本のページ押さえは、本考案の請求項一からなる本のページ押さえが、一枚の平板を、連続した状態で様々に変形して展開される構造なので、上面ページ押さえ部片（５）の弾力強度との兼ね合いで、下面受け板部（４）の構成強度が不足する場合や、意匠性や機能性などの面で、異なる素材を複合した下面受け板（４）とする場合を考慮したものである。【００１２】  本考案の請求項四からなる本のページ押さえは、本考案の、請求項一、請求項二、請求項三からなる本のページ押さえに、図８で示すように、柔軟なフレキシブル素材（１１）に、ある程度の腰強度を有したプラスチックなどの樹脂素材などからなる補強部材（１２）を、貼着などで張り付けて、スタンド部（１３）として用意する。
そして、図９、図１０で示すように、本考案の、請求項一、請求項二、請求項三、からなる、本のページ押さえの、下面受け板部（４）や、下面受け板部（４）に取り付けたシート部材（１０）の裏面に、スタンド部（１３）を、一方が開閉自在で取り付ける。これを以て、書見台機能を持たせた、本考案請求項四からなる、本のページ押さえとしたものである。
なお、図８で示したスタンド部（１３）に関しては、皮素材などのように、フレキシブルでありながら、ある程度の素材強度が有る素材の場合、その素材強度を有する素材単体で、スタンド部（１３）としても、いっこうにかまわないものとする。
さらに、図面は省略するが、下面受け板部（４）やシート材（１０）と、回動自在に、枢着構造で組み合わされるスタンド部（１３）としても一向に構わないものとする。
【符号の説明】
【００１３】  １    平板材
２    凸起部片
３    曲げ返し部
４    下面受け板部（上下に分かれた後の、下方に残った平板の名称）
５    上面ページ押さえ部片（上下に分かれた後の、上方になった平板の名称）
６    ページ押さえ補強弾力部片
７    ページ挿入案内ガイド部
８    左側用の本のページ押さえ部材
９    右側用の本のページ押さえ部材
１０  シート材
１１  フレキシブル素材
１２  補強部材
１３  スタンド部
１４  本
0003219646.tif 000003
【手続補正書】
【提出日】平成30年8月20日(2018.8.20)
【手続補正１】
【補正対象書類名】実用新案登録請求の範囲
【補正対象項目名】全文
【補正方法】変更
【補正の内容】
【実用新案登録請求の範囲】
【請求項１】
平板材（１）の、一方辺の左右両辺に設けた、左右で一対とする凸起部片（２）の平面を、それぞれ、曲げ返し部（３）で、平板材（１）の平面との間に空間を空けて上下で重なる状態に反転曲げ返した形状として、平板材（１）を下面受け板部（４）とし、凸起部片（２）を上面ページ押さえ（５）としたのを特徴とした、本のページ押さえ。
【請求項２】
請求項１からなる本のページ押さえに於ける上面ページ押さえ（５）の先方辺を、曲げ返し部（３）の方向の下方斜角に曲げ返した形状で、ページ押さえ補強弾力部片（６）としたのを特徴とする、本のページ押さえ。
【請求項３】
請求項２からなる本のページ押さえに於けるページ押さえ補強弾力部片（６）の、左右でお互い向き合う内側の辺に於ける適宜な一定範囲の面を、それぞれ、上方斜角に曲げ返した形状で、ページ挿入案内ガイド部（７）としたのを特徴とする、本のページ押さえ。
【請求項４】
請求項１、請求項２、請求項３のいずれか一項からなる本のページ押さえに於ける、下面受け板部（４）の裏面又は表面及び表裏両面に、シート部材（８）を取り付けたのを特徴とする本のページ押さえ。
【請求項５】
請求項１、請求項２、請求項３、請求項４のいずれか一項からなる本のページ押さえに於いて、本のページ押さえ全体を同一方向の上下で覆う長さのカバー材（９）を、下面受け板部（２）の裏面に取り付けたのを特徴とする、本のページ押さえ。
【請求項６】
請求項５からなる本のページ押さえに於けるカバー材（９）の、その下面受け板部（２）の裏面から外れた範囲の適宜な位置に、スタンド用平板（１０）を取り付けたのを特徴とする、本のページ押さえ。
【手続補正２】
【補正対象書類名】明細書
【補正対象項目名】全文
【補正方法】変更
【補正の内容】
【考案の詳細な説明】
【技術分野】
【０００１】本考案は、開いた本のページを、押さえ保持する、本のページ押さえに関するものである。
【背景技術】
【０００２】教科書を初めとする小説などの全ての本は、開いているページを開いたままにしておくことが以外と悩ましく、その悩ましさを解消する為に、バネ押さえアームを設けた書見台タイプや、重しタイプ、挟みクリップタイプなど、色々なページ押さえグッズが提供されている。
【考案の概要】
【考案が解決しようとする課題】
【０００３】書見台タイプを初め、重しタイプ、挟みクリップタイプなどからなる、これまでの色々なページ押さえグッズは、ページを押さえる機能は一応満たしてはいるが、いずれも、一長一短があって、使い勝手の面で、それぞれ、少なからず、満足な使用感が得られていない。
【課題を解決するための手段】
【０００４】  本考案は、弾力性の有る透明な平板状の素材を、一見、ブックケース態様に、曲げ返した形状や、折り曲げた形状等で、立体構造として展開することにより、弾力性素材からなる平板の曲げ部で発生する弾力を活用したページ押さえとすることにより、既存ページ押さえグッズの、少なからずの使用感の問題点を、大きく解消したものである。
【考案の効果】
【０００５】  本考案からなる本のページ押さえは、図１３で示すように、反転した曲げ返し部（３）を形成することにより得られた、下面受け板部（４）と、上面ページ押さえ（５）との間の収納空間に、読みたい本の背を挿入して、ブックケース状態で本に装着しておけば、図１４で示すように、何時でも何処でも、簡単瞬時に本から取り外し、そのまま、開いた状態の本のページを、曲げ返しで得られた収納空間に、簡単瞬時に挿入装着するだけで、上面ページ押さえ（５）から得られる弾力で、開いたままのページを、しっかりと柔軟に押さえてキープする。
尚且つ、ページ押さえをキープした状態のままで、次のページのめくり進めもスムーズに行えるので、ページめくりの度に、本を、本のページ押さえから脱着する手間がかからず簡便である。
さらに、読書が終わったら、再び、ブックケース状態に戻すだけの簡単動作で、本を保管状態に戻せる。
【図面の簡単な説明】
【０００６】
【図１】一方辺の左右両面に、左右一対とする凸起部片（２）を設けた、平板材（１）を示した平面図
【図２】本考案の請求項１からなる、平板材（１）の左右で一対とする凸起部片（２）を、それぞれ、平板材（１）の上面に、適宜な空間を空けた上下で重なる状態に、曲げ返し部（３）で反転曲げ返した形状として、平板材（１）を下面受け板部（４）とし、左右それぞれの凸起部片（２）を、上面ページ押さえ（５）とした、本のページ押さえを示した側面図。凸起部片（２）の範疇に於いて、曲げ返し部（３）と、上面ページ押さえ（５）とが、構成される。
【図３】本考案の請求項１からなる、平板材（１）の左右で一対とする凸起部片（２）を、それぞれ、平板材（１）の上面に、適宜な空間を空けた上下で重なる状態に、曲げ返し部（３）で反転曲げ返した形状として、平板材（１）を下面受け板部（４）とし、左右それぞれの凸起部片（２）を、上面ページ押さえ（５）とした、本のページ押さえを示した斜視図。
【図４】本考案の請求項２からなる、反転で曲げ返えされた、左右で一対とする、それぞれの、上面ページ押さえ（５）の先方辺を、下方斜角で、曲げ返し部（３）の方向に向かって折り曲げ返した形状の、ページ押さえ補強弾力部片（６）を設けてなる、本のページ押さえを示した側面図。
【図５】本考案の請求項２からなる、反転で曲げ返えされた、左右で一対とする、それぞれの、上面ページ押さえ（５）の先方辺を、下方斜角で、曲げ返し部（３）の方向に向かって折り曲げ返した形状の、ページ押さえ補強弾力部片（６）を設けてなる、本のページ押さえを示した斜視図
【図６】本考案の請求項３からなる、ページ押さえ補強弾力部片（６）の、左右でお互いの向かい合った内側辺のある一定範囲を、それぞれ、上方斜角に折り曲げた形状として、ページ挿入案内ガイド部（７）とした、本のページ押さえを示した側面図、（左右は対称）  なお、ページ挿入案内ガイド部（７）は、斜線で示してある
【図７】本考案の請求項３からなる、ページ押さえ補強弾力部片（６）の、左右でお互いの向かい合った内側辺のある一定範囲を、それぞれ、上方斜角に折り曲げた形状として、ページ挿入案内ガイド部（７）とした、本のページ押さえを示した斜視図、（左右は対称）  なお、ページ挿入案内ガイド部（７）は、斜線で示してある
【図８】本考案の請求項４からなる、下面受け板部（２）の、裏面又は表面及び表裏両面にシート部材（８）を取り付けた、本のページ押さえを示した側面図。
【図９】本考案の請求項５からなる、同一方向で上下の全体を覆い被せる長さのカバー部材（９）を、下面受け板部（２）の裏面に、一方辺をはみ出して取り付けた、本のページ押さえを示した側面図。
【図１０】本考案の請求項５からなる、本のページ押さえに於けるカバー部材（９）の、その、一方のはみ出した範囲面を、本のページ押さえの上面の全体に、覆い被せて、ブックカバー態様としたのを示した側面図。
【図１１】本考案の請求項６からなる、本のページ押さえに於けるカバー部材（９）の、その、はみ出した範囲面の、適宜な範囲面に、スタンド用平板（１０）を、内設又は外設で取り付けた、本のページ押さえを示した側面図。
【図１２】本考案の請求項６からなる、本のページ押さえに於ける、スタンド用平板（１０）を取り付けたカバー部材（９）のスタンド用平板（１０）を活用して、本のページ押さえを、ブックスタンド状態に斜立させる態様を示した側面図。〔図１２〕では、下面受け板部（４）が平行状態で示してあるが、実際の使用では、下面受け板部（４）は斜立した状態になる。
【図１３】本考案による本のページ押さえの使用態様を、本考案の請求項３からなる本のページ押さえに、閉じた本（１１）を装着したのを示した斜視図である。  本の半面だけをカバーした状態で、本（１１）に装着される。
【図１４】本考案による本のページ押さえの使用態様を、本考案の請求項３からなる本のページ押さえに、開いた本（１１）を装着し、上面ページ押さえ（５）で、本（１１）の開いたページを、しつかりと押さえキープしているのを示した斜視図である。
【考案を実施するための形態】
【０００７】各サイズの本に対応するそれぞれのサイズの、透明で弾力性の有る素材からなる平板材（１）の、一方辺の左右両辺に、一対とする、凸起部片（２）をそれぞれ設ける。
そして、その平板材（１）の、左右一対とする凸起部片（２）の平面を、それぞれ、平板材（１）の平面との間に、適宜な空間を空けて上下で重なる状態に、曲げ返し部（３）で、反転曲げ返した形状の、上面ページ押さえ（５）とすることにより、反転曲げ返しで弾力を発生する曲げ返し部（３）で支えられた上面ページ押さえ（５）の押さえ弾力で、本のページをしっかりと押さえ保持する、本のページ押さえとするものである。
【実施例】
【０００８】本考案による本のページ押さえは、請求項１、請求項２、請求項３、請求項４、請求項５請求項６からなる。以下、添付図面に従って、各請求項の実施例を説明する。【０００９】本考案の請求項１からなる、本のページ押さえは、〔図１〕で示すように、本の各サイズに対応する、それぞれのサイズからなる平板材（１）の、一方辺の左右両辺に、二つで一対とする、凸起部片（２）を設ける。
そして、〔図２〕及び〔図３〕で示すように、平板材（１）の平面部と、凸起部片（２）の平面部との間に、適宜な空間を空けて上下で重なる状態に、曲げ返し部（３）で、左右の凸起部片（２）を、それぞれ、反転曲げ返した形状とすることにより、上下関係で下面となった平板材（１）を下面受け板部（４）とし、上下関係で上面となった凸起部片（２）を上面ページ押さえ（５）とし、これを以て、本考案の請求項１からなる、本のページ押さえ、としたものである。
請求項１からなる、本のページ押さえは、単なる一枚状態の平板を、適宜な空間を空けた態様で、反転曲げ返した形状構造とすることにより、一枚状態の平板を、上下で空間を空けた二枚状態の平板とした展開で構成されている。【００１０】  本考案の請求項２からなる、本のページ押さえは、〔図４〕及び〔図５〕で示すように、請求項１からなる本のページ押さえに於ける、左右両辺の上面ページ押さえ（５）の先方辺を、曲げ返し部（３）の方向に向けて、それぞれ、下方斜角に折り曲げ返した形状で、ページ押さえ補強弾力部片（６）とし、これを以て、上面ページ押さえ（５）に、ページ押さえ補強弾力部片（６）を設けてなる、本考案の請求項２からなる、本のページ押さえ、としたものである。
請求項２からなる、本のページ押さえは、ページを押さえる弾力発生部位を、二か所としたものである。【００１１】  本考案の請求項３からなる、本のページ押さえは、〔図６〕及び〔図７〕で示すように、本考案の請求項２からなる本のページ押さえに於ける、左右両辺の上面ページ押さえ（５）の先方辺に設けたページ押さえ補強弾力部片（６）の、左右でお互いに向き合う内側の適宜な一定範囲の面を、それぞれ、上方斜角に曲げ返した形状で、ページ挿入案内ガイド部（７）とする。これを以て、上面ページ押さえ（５）の先方辺に形成したページ押さえ補強弾力片（６）に、ページ挿入案内ガイド部（７）を設けてなる、本考案の請求項３からなる、本のページ押さえ、としたものである。
本考案の請求項３からなる、本のページ押さえは、本のページめくりをする際に、ページ押さえ補強弾力部片（６）の端面と、めくり進められるページ紙との接触干渉を未然に防止するものである。【００１２】  本考案の請求項４からなる、本のページ押さえは、〔図８〕で示すように、本考案の請求項１、請求項２、請求項３のいずれか一項からなる、本ページ押さえに於ける、下面受け板部（４）の、裏面又は表面及び表裏両面に、シート部材（８）を取り付ける。
これを以て、下面受け板部（４）の、裏面又は表面及び表裏両面に、シート部材（８）を取り付けたのを特徴とする、本考案の請求項４からなる、本のページ押さえとしたものである。
本考案の請求項４からなる、本のページ押さえは、本のページ押さえに、カラフルな色彩や模様や写真背景やデザイン等の、意匠面での機能を付加する為のものである。【００１３】  本考案の請求項５からなる本のページ押さえは、本考案の、請求項１、請求項２、請求項３のいずれか一項からなる、本のページ押さえに、〔図９〕及び〔図１０〕で示すように、本のページ押さえ全体を同一方向の上下で覆い被さる長さのカバー部材（９）を、下面受け板部（２）の裏面に取り付け、尚且つ、下面受け板部（２）の裏面から外れる範囲は、フレキシブルなフリー部位としたのを特徴とするものである。
本考案の請求項５からなる本のページ押さえは、本のページ押さえに、ブックカバー機能を付加するものである。【００１４】  本考案の請求項６からなる本のページ押さえは、本考案の請求項５からなる、ブックカバー機能を付加した本のページ押さえに於ける、カバー部材（９）、のフレキシブルなフリー部位の適宜な一定範囲の面に、〔図１１〕及び〔図１２〕で示すように、本のページ押さえの一方を、上方斜角に立ち上げて書見台状態とする為の、ある程度の腰強度を有したプラスチックなどの樹脂素材などからなるスタンド用平板材（１０）を、貼着や内設などで取り付けたのを特徴としたものである。本考案の請求項６からなる、本のページ押さえは、本のページ押さえに、書見台機能を付加したものである。【００１５】  なお、図面は省略するが、本考案の、請求項１、請求項２、請求項３からなる、本のページ押さえにおいては、一枚からなる平板を、曲げ返したり、折り曲げたりして構成しているが、下面受け板部（４）や、曲げ返し部（３）と一体とした上面ページ押さえ（５）、及び、ページ挿入案内ガイド部（７）を形成したページ押さえ補強弾力部片（６）など、各パーツ毎に別個に作成しておいて、其の別個の各パーツを、貼着や接着などで組み合わせ組み立てて作成しても、一向に構わないものである。
【符号の説明】
【００１６】（１）平板材
（２）凸起部片
（３）曲げ返し部
（４）下面受け板部（上下に分かれた後の、下方に残った平板の名称）
（５）上面ページ押さえ（上下に分かれた後の、上方になった平板の名称）
（６）ページ押さえ補強弾力部片
（７）ページ挿入案内ガイド部
（８）シート部材
（９）カバー部材
（１０）スタンド用平板材
（１１）本
【手続補正３】
【補正対象書類名】図面
【補正対象項目名】全図
【補正方法】追加
【補正の内容】
【図１】
0003219646.tif 000004
【図２】
0003219646.tif 000005
【図３】
0003219646.tif 000006
【図４】
0003219646.tif 000007
【図５】
0003219646.tif 000008
【図６】
0003219646.tif 000009
【図７】
0003219646.tif 000010
【図８】
0003219646.tif 000011
【図９】
0003219646.tif 000012
【図１０】
0003219646.tif 000013
【図１１】
0003219646.tif 000014
【図１２】
0003219646.tif 000015
【図１３】
0003219646.tif 000016
【図１４】
0003219646.tif 000017